(57)【要約】【課題】電池の内部構造を変更することなく、回生電流で充電する場合でも、効率よく充電することができるハイブリッド電池を提供する。【解決手段】充電電流が所定値以上のときに充放電効率の高い第１の電池Ａと、充電電流が所定値以上のときに充放電効率が第１の電池Ａよりも低い第２の電池Ｂとが並列に接続されており、並列に接続された両端の接続点Ｄ、Ｅ間で、所定値以上の充電電流に対して、第２の電池Ｂ側の接続点Ｄ、Ｅ間のインピーダンスが、第１の二次電池Ａ側の接続点Ｄ、Ｅ間のインピーダンスより大きくなるように、接続点Ｄ、Ｅ間で第２の電池Ｂと直列にインピーダンス調整回路２が接続されている。【選択図】図１Ａ
2018018775.tif 000002
【特許請求の範囲】
【請求項１】
充電電流が所定値以上のときに充放電効率の高い第１の二次電池と、充電電流が前記所定値以上のときに充放電効率が前記第１の二次電池よりも低い第２の二次電池と、が並列に接続されたハイブリッド電池であって、
前記並列に接続された両端の接続点間で、前記所定値以上の充電電流に対して、前記第２の二次電池側の前記接続点間のインピーダンスが、前記第１の二次電池側の前記接続点間のインピーダンスより大きくなるように、前記接続点間で前記第２の二次電池と直列にインピーダンス調整回路が接続されてなるハイブリッド電池。
【請求項２】
前記第２の二次電池の充電終止電圧時の前記インピーダンス調整回路を含めた前記接続点間の電圧が、前記第１の二次電池の過充電危険電圧よりも低くなるように前記インピーダンス調整回路が形成されてなる請求項１記載のハイブリッド電池。
【請求項３】
前記インピーダンス調整回路が、前記充電電流に対して逆方向のダイオードと抵抗との並列回路である請求項１または２記載のハイブリッド電池。
【請求項４】
前記インピーダンス調整回路が、前記充電電流に対して逆方向のダイオードとスイッチ素子との並列回路である請求項１または２記載のハイブリッド電池。
【請求項５】
前記インピーダンス調整回路が、前記充電電流に対して逆方向のダイオードと順方向のダイオードとの並列回路であり、前記順方向のダイオードの順方向電圧による電圧降下を利用する請求項１または２記載のハイブリッド電池。
【請求項６】
前記インピーダンス調整回路が、抵抗である請求項１または２記載のハイブリッド電池。
【請求項７】
前記第１の二次電池がリチウムイオン電池であり、前記第２の二次電池が鉛電池である請求項１〜６のいずれか１項に記載のハイブリッド電池。
【請求項８】
前記第１の二次電池がリチウムイオン電池であり、前記第２の二次電池がニッケル水素電池である請求項１〜６のいずれか１項に記載のハイブリッド電池。
【請求項９】
前記インピーダンス調整回路に、さらにスイッチ素子が並列に接続されてなる請求項３、５または６記載のハイブリッド電池。
【請求項１０】
前記インピーダンス調整回路が、スイッチ素子である請求項１記載のハイブリッド電池。
【請求項１１】
前記充電電流としての回生電流の大きさを検出する電流検出器がさらに設けられ、前記電流検出器により検出される電流値が所定の電流値以下のとき、または商用電源による充電のときに前記スイッチ素子を短絡する制御手段が設けられてなる請求項４、９または１０記載のハイブリッド電池。
【請求項１２】
前記ハイブリッド電池が、放電の際に前記スイッチ素子を短絡する制御手段が設けられてなる請求項４、９または１０記載のハイブリッド電池。
【請求項１３】
前記ハイブリッド電池が、自動車または電車の駆動源として用いられる請求項１〜１２のいずれか１項に記載のハイブリッド電池。
【発明の詳細な説明】
【技術分野】
【０００１】
本発明は、走行車両の動力源や電力貯蔵設備などに用いられる二次電池に関する。さらに詳しくは、リチウムイオン電池などの有機溶液系二次電池と、鉛電池やニッケル水素電池などの水溶液系二次電池とを並列に接続することにより、それぞれの二次電池の特色を発揮させることができるハイブリッド電池に関する。
【背景技術】
【０００２】
従来の化石燃料を駆動エネルギーとする自動車は、その排気ガスにより自然環境を悪化させるため、近年では、ハイブリッド型の自動車や電気自動車への転換が期待されている。しかし、電池によって、それぞれの特徴があり、例えば鉛電池は、エネルギー当たりの単価は安いが、非常に重いという問題があり、また、リチウムイオン電池は、軽いという利点はあるが、非常に高価であるため、また、過電圧などにより破壊されやすいため、保護回路の必要な有機溶液系電池と鉛電池などの水溶液系電池とを並列接続したハイブリッド蓄電池が開示されている（例えば特許文献１参照）。
【０００３】
すなわち、この電池の組合せは、例えば図９Ａに示されるように、二次電池（以下、二次電池（蓄電池）を単に電池ともいう）Ａと電池Ｂとが並列に接続され、その出力がモータＭに直列に接続されている。なお、図９Ａでは、簡略化して描かれているが、実際には、電池Ａ等は同種のセルが直列および／または並列に接続された所望の容量および電圧になるように形成された組電池になっている場合が多い。また、同図で電池Ａは、リチウムイオン電池のように、容量が電池Ｂよりは小さく、高価な電池で、電池Ｂは、例えば鉛電池のような大容量で低価格な電池である。これにより、高エネルギーで軽いが保護回路等が必要で高価なリチウムイオン電池と、安価で電池容量が大きいが重い鉛電池の両特性を有する電池を並列に接続することが開示されている。また、鉛電池の充電終止電圧をリチウムイオン電池の過充電危険電圧より低く設定することにより、別途リチウムイオン電池の保護回路を形成しなくても、鉛電池の水系電解液の分解反応を行わせることにより、高価なリチウムイオン電池が保護されることも開示されている。
【０００４】
また、特許文献２には、例えば鉛電池とニッケル水素電池のような水溶液系二次電池の中で種類の異なる２種類の水溶液系電池と、リチウムイオン電池のような有機溶液系電池とを並列に接続することにより、例えば鉛電池とニッケル水素電池のような水溶液系電池の水分解電圧をリチウム電池の過充電危険電圧より低くすることにより、前述のリチウムイオン電池の過充電を防止しながら、例えばニッケル水素電池の放電電圧をリチウムイオン電池の放電電圧より高くなるように設定することにより、放電特性を改良することができるハイブリッド電池も開示されている。
【先行技術文献】
【特許文献】
【０００５】
【特許文献１】特許第５３７３９９９号公報
【特許文献２】特開２０１５−９２４４４号公報
【発明の概要】
【発明が解決しようとする課題】
【０００６】
前述のように、鉛電池のような水溶液系電池とリチウムイオン電池のような有機溶液系電池とを並列に接続したハイブリッド電池は、定置した電源として使用する場合には、電圧が低下した場合に商用電源で充電して使用するが、このような商用電源による充電は、低い充電電流で充電するため、両電池の充電特性上、特段の不都合はない。しかし、例えば電気自動車やハイブリッド自動車のように、アクセルペダルを踏まないとき、またはブレーキペダルを踏んだときのモータの回転を利用した回生電流は通常上記商用電源による充電電流の２〜５倍に達する。そのため、回生電流により前述のハイブリッド電池を充電するときは、ハイブリッド電池構成上の電圧電流特性により水溶液系電池にこの電流が流れやすく、電圧上昇による酸素発生損失を伴う。従って、モータの回転に応じた電力により充電する場合、充分に回生エネルギーを再利用することができないことを本発明者らは見出した。
【０００７】
また、例えば水溶液系電池と、有機溶液系電池とでは、一般的にはリチウムイオン電池などの有機系電池の方が現状では、非常に高価であると共に、過充電などにより発火したり、破損したりしやすいため、有機溶液系電池が過充電状態にならないようにする必要がある。一方、この有機溶液系電池と水溶液系電池とを並列に接続することにより、回生電流は水溶液系電池に流れやすいので、有機溶液系電池を保護しやすい。しかし、水溶液系電池は充放電効率が低いので、充放電効率を高く維持しながら、有機溶液系電池の保護をしやすくすることが望まれる。
【０００８】
本発明は、このように、高価な有機溶液系電池と安価で電池容量の大きい水溶液系電池とを並列接続して有機溶液系電池の保護を図りながら、大電流回生時のエネルギー損失を招くという問題を解決するためになされたもので、電池の内部構造を変更することなく、回生電流で充電する場合でも、効率よく充電することができるハイブリッド電池を提供することを目的とする。
【０００９】
本発明の他の目的は、回生電流の大きい電力が供給されても、リチウムイオン電池などの高価な有機溶液系電池を特別な保護回路が無くても保護することができるハイブリッド電池を提供することにある。
【課題を解決するための手段】
【００１０】
前述のような、例えば鉛電池とリチウムイオン電池を並列に接続したハイブリッド電池を電気自動車などに用いて、回生電力により充電しても、その回生電力を充分に利用することができず、無駄になっていることを本発明者らは見出した。そして、本発明者らは、その原因を追究したところ、充放電効率の低い鉛電池に回生電流の大部分が流れ、充放電効率の高いリチウムイオン電池には殆ど回生電流が流れないことに起因していることを見出した。すなわち、鉛電池のような水溶液系電池は、電極での溶解析出型であることから電流依存性が顕著になり、大電流の充電電流では水の電気分解が発生してガスを放出するため、充放電効率が低下し、例えば１００Ａの充電電流では９２％程度の充放電効率しか得られない。これに対し、リチウムイオン電池では、電解液はイオンの通り道の役割を果たすだけで反応に寄与しないので、充放電時にガス発生反応は基本的になく、また、充電電圧も鉛電池より低いため、低電流から大電流までの広い範囲で充放電効率が高く、１００Ａ程度の回生電流に対しても、９９％程度の高い充放電効率が得られる。
【００１１】
本発明者らは、さらに鋭意検討を重ねて回生電流の殆ど大部分が鉛電池に流れ込み、リチウムイオン電池に流れない理由を調べた。その結果、電池の内部インピーダンスは、電池により異なり、図６に充電時（左側ほど充電電流が大きい）および放電時（右側ほど放電電流が大きい）のそれぞれの電池の電流に対する電圧の関係が示されるように、充電領域でのある電流値では、リチウムイオン電池Ａの内部インピーダンスが鉛電池の内部インピーダンスよりも大きく、すなわち同じ電流値に対して、電圧が高いことを見出した。電池構成上充電領域ではリチウム電池を保護するため、必然的にリチウムイオン電池の電圧は鉛電池の電圧より高くなるように各電池の直列セル数が決められている。そのため、回生電流で大きな充電電流が流れ込んできても、その電流値に対して、内部インピーダンスが小さく、かつ、電圧の低い鉛電池Ｂに回生電流の大部分が流れ込んでしまい、前述のように、鉛電池Ｂの充放電効率は低いため、折角の回生電流を有効に利用できないのが原因であることを本発明者らは見出した。
【００１２】
そして、本発明者らが、さらに鋭意検討を重ねて調べた結果、充放電効率の低い水溶液系電池Ｂ側には余り回生電流を流さないようにし、充放電効率の優れた有機溶液系電池Ａ側に回生電流を流すように、鉛電池Ｂ側にインピーダンス調整回路が挿入され、鉛電池側のインピーダンスを大きくし、かつ、充電電圧を高くすることにより、相対的に内部インピーダンスが小さく、かつ、電圧が低くなった、充放電効率の高いリチウムイオン電池Ａ側に回生電流が流れ込みやすくなって、回生電流を効率よく充電に利用することができることを見出した。なお、ハイブリッド電池の使用によりハイブリッド電池が消耗してリチウムイオン電池Ａおよび鉛電池Ｂの両方の電圧が下がった場合には、通常の商用電源で充電が行われるが、この場合は、充電電流が回生電流のピークの１／５〜１／２程度、具体的には２５Ａ程度と非常に小さいため、前述の電解液の電気分解も起こらず、インピーダンス調整回路を経由しないようにすることにより、両電池とも効率よく充電される。
【００１３】
本発明のハイブリッド電池は、充電電流が所定値以上のときに充放電効率の高い第１の二次電池と、充電電流が前記所定値以上のときに充放電効率が前記第１の二次電池よりも低い第２の二次電池と、が並列に接続されており、前記並列に接続された両端の接続点間で、前記所定値以上の充電電流に対して、前記第２の二次電池側の前記接続点間のインピーダンスが、前記第１の二次電池側の前記接続点間のインピーダンスより大きくなるように、前記接続点間で前記第２の二次電池と直列にインピーダンス調整回路が接続されている。なお、インピーダンス調整回路には、インピーダンスを無限大にすることができるスイッチ素子を含む。
【００１４】
ここに「充電電流が所定値以上であるとき」とは、前述のように、充電の際に水溶液系電池の水溶液が電気分解をしてガスが発生し得る状態の電圧に対応する電流を意図している。すなわち、鉛電池ではセル電圧が約２.４Ｖ以上、ニッケル水素電池ではセル電圧が約１.５Ｖ以上で水の電気分解を引き起こす。電気自動車に使用される典型的な６０Ａｈの鉛電池では、ガス発生電圧に対応する電流値は５０Ａから１００Ａ程度になる。このガス発生電圧は、電池の充電状態にも依存し、例えば充電状態が高ければ低い電流（電圧）でガスを発生する。そのため、ガスが発生し得る状態の電流値にも幅が生じる。
【発明の効果】
【００１５】
本発明のハイブリッド電池によれば、所定電流以上の充電電流に対して、充放電効率の低い第２の電池Ｂ側にインピーダンス調整回路が挿入されているので、並列接続された接続点間で相対的にインピーダンスが小さくなる、充放電効率の高い第１の電池Ａ側に回生電流が流れ易くなっている。そのため、例えば１００Ａ程度の大きな回生電流が供給されても、その電流は殆ど第１の電池Ａに流れ込み、効率よく充電に寄与する。すなわち、従来のハイブリッド電池では、１００Ａ程度の大きな回生電流は、第１の電池Ａの内部インピーダンスが第２の電池Ｂの内部インピーダンスより遥かに大きいため、その大部分が第２の電池Ｂに流れ込み、充放電効率が低かった。しかし、本発明では、並列接続された接続点間で第２の電池Ｂ側のインピーダンスが第１の電池Ａの内部インピーダンスより大きくなっているため、回生電流の大部分が第１の電池Ａ側に流れ込む。そのため、第１の電池Ａで効率よく充電される。
【図面の簡単な説明】
【００１６】
【図１Ａ】本発明の一実施形態の回路図である。
【図１Ｂ】図１Ａの回路のときのそれぞれの電池側での充電時と放電時の電流と電圧の関係を示す図である。
【図１Ｃ】図１Ａの変形例を示す回路図である。
【図２Ａ】本発明の他の実施形態の回路図である。
【図２Ｂ】図２Ａの回路のときのそれぞれの電池側での充電時と放電時の電流と電圧の関係を示す図である。
【図２Ｃ】図２Ａの変形例を示す回路図である。
【図３Ａ】本発明のさらに他の実施形態の回路図である。
【図３Ｂ】図３Ａの回路のときのそれぞれの電池側での充電時と放電時の電流と電圧の関係を示す図である。
【図３Ｃ】図３Ａの変形例を示す図である。
【図４Ａ】本発明のさらに他の実施形態の回路図である。
【図４Ｂ】図４Ａの回路のときのそれぞれの電池側での充電時と放電時の電流と電圧の関係を示す図である。
【図４Ｃ】図４Ａの回路のスイッチ素子部分の変形例を示す図である。
【図４Ｄ】図４Ｃの回路のスイッチ素子部分の他の変形例を示す図である。
【図５】図１Ａの回路のときの充電時と放電時の電流特性の実測例を示す図である。
【図６】鉛電池とリチウムイオン電池のハイブリッド電池のときの充電時と放電時のそれぞれの電池での充電時と放電時の電流と電圧の関係を示す図である。
【図７Ａ】本発明のハイブリッド電池を電気自動車に応用する場合の一実施形態を示す回路図である。
【図７Ｂ】本発明のハイブリッド電池を電気自動車に応用する場合の他の実施形態を示す回路図である。
【図８】本発明のハイブリッド電池の充放電効率を測定するモデルの回路図である。
【図９Ａ】従来の特性の異なる２種類の電池を並列に接続した回路例である。
【図９Ｂ】図９Ａに示される従来のハイブリッド電池のときの充電時と放電時の電流特性の実測例を示す図である。
【発明を実施するための形態】
【００１７】
次に、図面を参照しながら本発明のハイブリッド電池の一実施形態が説明される。本発明のハイブリッド電池１の一実施形態は、図１Ａに回路図で示されるように、充電電流が所定値以上のときに充放電効率の高い第１の電池Ａと、充電電流が所定値以上のときに充放電効率が第１の電池Ａよりも低い第２の電池Ｂとが並列に接続されており、並列に接続された両端の接続点Ｄ、Ｅ間で、所定値以上の充電電流に対して、第２の電池Ｂ側の接続点Ｄ、Ｅ間のインピーダンスが、第１の二次電池Ａ側の接続点Ｄ、Ｅ間のインピーダンスより大きくなるように、接続点Ｄ、Ｅ間で第２の電池Ｂと直列にインピーダンス調整回路２が接続されている。
【００１８】
ハイブリッド電池１を構成する第１の電池Ａは、例えばリチウムイオン電池のような有機溶液系の電池であり、前述のように、電解液はイオンの移動のみに用いられ、電極での溶解析出反応が起こらないため、ガスが発生するということもなく、大電流の充電電流に対しても充放電効率に優れている。しかも、有機溶液系の電池は、充電するための充電過電圧（充電するために放電時の電圧より高い電圧が必要）も鉛電池より小さいため、低電流から大電流までの広い帯域で高い充放電効率が得られる。従って、高価で、電池容量は鉛電池と比較して小さいが、電池としては非常に優れた特性を有している。
【００１９】
一方、ハイブリッド電池を構成する第２の電池Ｂは、鉛電池、ニッケル水素電池のような水溶液系電池が用いられる。この鉛電池は、放電時には負極で、
Ｐｂ＋ＳＯ42-→ＰｂＳＯ4＋２ｅ-
の反応が起こり、負極から、鉛が希硫酸からなる電解液に溶け出し硫酸鉛になる。一方、充電時には負極で、
ＰｂＳＯ4＋２ｅ-→Ｐｂ＋ＳＯ42-
の反応が起こり、金属鉛が析出して負極に戻る反応をする。水溶液系電池は、このような溶解析出型であるため、電流依存性が非常に顕著になる。そのため、回生電流のような大きな充電電流の場合には、電圧の上昇に伴い、水の電気分解が発生しやすくなる。そのため、一般的に充放電効率が低下する。この充放電効率が低下するのは、前述のように、電気自動車用の６０Ａｈ電池では、充電電流がおおよそ５０Ａ〜１００Ａ以上の場合で、それより小さい電流では、水の電気分解は殆ど起こらず、充放電効率も低下しない。その結果、回生電流ではなく、電池容量が低下して商用電源により充電する場合には、２５Ａ程度であるため、このような充放電効率低下の問題は生じない。また、この水溶液系電池は、重量は大きいが電池容量が大きく、安価であるといという特性を有している。
【００２０】
本発明のハイブリッド電池は、このように特性の異なる少なくとも２種類の電池が並列に接続されることにより、それぞれの特性を引き出しながら、回生電流による充放電効率を向上させていることに特徴がある。すなわち、図９Ａに示される従来のハイブリッド電池では、前述のように、大きな回生電流の大部分が鉛電池Ｂに流れ込み、リチウムイオン電池Ａには殆ど流れないことが、充放電効率の低い原因であることを本発明者らは見出した。そして、この鉛電池に回生電流の大部分が流れ込む理由が、電池の電流に対する電圧の関係が図６に示されるように、回生電流の同じ電流値に対して、鉛電池Ｂの内部インピーダンスがリチウムイオン電池Ａの内部インピーダンスより小さいこと、すなわちそのときの電池の電圧が低いこと、であることを見出した。そして、図１Ａに示されるように、第２の電池Ｂ側にインピーダンス調整回路２を挿入して、第２の電池Ｂ側のＤ、Ｅ間のインピーダンスを第１の電池Ａの内部インピーダンスより大きくすることにより、大電流の場合でも、第１の電池Ａに回生電流の大部分を流すことができることを見出した。
【００２１】
図１Ａに示される実施形態では、インピーダンス調整回路２は、抵抗２１と充電電流に対して逆方向（放電電流に対して順方向）となるように接続されたダイオード２２との並列回路で形成されている。なお、図１Ａでは簡略化して１個の抵抗２１と１個のダイオード２２で示されているが、それぞれ１個ではなく、複数個の直列および／または並列に接続されたものでもよい。特に、ダイオード２２はその大電流に対する破壊を防止するため、複数個並列に接続されることが好ましい。この抵抗２１が第２の電池Ｂ側のインピーダンスを上げるために挿入されており、ダイオード２２は、ハイブリッド電池１の放電時に抵抗２１による電圧降下を防止するために挿入されている。そのため、インピーダンス調整としては、抵抗２１が寄与している。従って、抵抗２１はインピーダンスを大きくし得るものであればよい。なお、インピーダンス調整回路２は、このような直接的にインピーダンスを変化させる素子には限定されず、例えば後述される充電電流に対して順方向のダイオード２４（図３Ａ、３Ｃ参照）の順方向電圧分を変化させるものや、オン、オフを制御する制御回路素子２６（図４Ｄ参照）、電子スイッチ素子（ＦＥＴ）２３、２５（図４Ａ、４Ｃ参照）などを含み、結果的にインピーダンスが無限大も含めて大きくなるものが用いられ得る。
【００２２】
抵抗２１の抵抗値は、第２の電池Ｂの内部インピーダンスと共に接続点Ｄ、Ｅ間のインピーダンスを第１の電池Ａ側の内部インピーダンスよりも大きくなるように設定されている。すなわち、図１Ｂに充電時および放電時の各電池の電流に対する電圧の関係が示されているように、充電電流が所定値以上のときのある電流値に対して、第２の電池Ｂ側のインピーダンスＢが第１の電池Ａ側の内部インピーダンスＡよりも大きくなるように設定されている。一方、この抵抗２１の抵抗値は、例えば１００Ａ程度の最大の回生電流に対して、第２の電池Ｂの充電終止電圧と抵抗２１の両端の電圧とを加えた電圧が第１の電池Ａの過充電危険電圧より低くなるように設定されていることが好ましい。ここに充電終止電圧とは、これ以上充電されて充電電圧が高くなろうとすると電池が破壊し、電圧上昇が抑制される電圧を意味し、例えば鉛電池の電解液組成、極板の活物質構成材料などにより、その電圧が調整されている。また、第１の電池Ａの過充電危険電圧とは、それより高い充電電圧が印加されると、第１の電池Ａが発熱して破壊する可能性が大きい電圧を意味している。この過充電危険電圧は、電池構成材料により定まり、通常、充電電圧は放電電圧よりも高いが、その充電電圧よりも、さらに高い電圧になるように設定されている。換言すると、例えば１００Ａ程度の最大の回生電流に対して、第２の電池Ｂが充電終止電圧のときの第２の電池Ｂ側のＤ、Ｅ間の電圧が第１の電池Ａの過充電危険電圧よりも低くなるように抵抗２１の抵抗値は定められていることが好ましい。そうすることにより、予期しない大きな回生電流が印加されても、その回生電流の大部分が第２の電池Ｂ側に流れ、第２の電池が破損するかもしれないが、高価な第１の電池Ａが保護される。
【００２３】
すなわち、第１の電池Ａに過電流が流れ込むことを防止することができるのみならず、高価な第１の電池Ａを保護することができ、第１の電池Ａを保護する高価な保護回路を別途設ける必要もないので、コスト的に大きなメリットがある。そのため、インピーダンス調整回路２の抵抗２１の抵抗値は大きくすればよいというものではなく、過電流に対する第２の電池Ｂの充電終止電圧と抵抗２１の両端の電圧とを加えた電圧が、第１の電池Ａの過充電危険電圧より低くなるように設定されることが好ましい。そうすることにより、第１の電池Ａが保護される。しかし、リチウムイオン電池などの安全性を確保するためには、保護回路が設けられることが好ましい。
【００２４】
ダイオード２２は、前述のように、第２の電池Ｂの放電の際に、抵抗２１を経ることなく電流を流し得るようにするために挿入されている。すなわち、充電電流に対しては必ず抵抗２１を通るようにし、放電電流（ハイブリッド電池１を駆動源として使用するとき）に対しては抵抗２１を通ることなく、このダイオード２２を通過できるようにされている。しかし、このようなダイオード２２が挿入されても、ダイオード２２の順方向電圧分（シリコンダイオードでは、１個当たり、通常０.６Ｖ程度）は低下する。その影響を完全になくするための例が図１Ｃに示されている。
【００２５】
すなわち、図１Ｃには、インピーダンス調整回路２の抵抗２１およびダイオード２２の並列回路に、さらにスイッチ素子２３が並列に接続されている。このスイッチ素子２３としては、後述されるようなトランジスタまたはＭＯＳＦＥＴ、リレーなど種々のスイッチ素子が用いられ得る。このスイッチ素子２３は、後述の例で詳述されるように、例えば２０Ａ以上の回生電流の検知によりスイッチ素子２３をオフにして抵抗２１を通して回生電流が流れるようにしたり、回生電流を利用しなくなるアクセルペダルの踏み込みまたはブレーキペダルの踏み込み開放などの検知により、スイッチ素子２３をオンにして、抵抗２１およびダイオード２２を介さないで第２の電池Ｂを直接接続したりすることができる。その結果、回生電流が小さいとき、または放電電流を利用するときは、ダイオード２２の順方向電圧の降下も招くことなく、第２の電池Ｂは従来通り利用され得る。従って、放電に利用するとき、モータ３に電力を供給することができるし、第１の電池Ａ側から第２の電池Ｂに充電することもできる。さらに、ハイブリッド電池１の容量が消耗して、商用電源により充電する場合、前述のように充電電流は小さいため、インピーダンス調整回路２を経なくても、比較的効率よく充電することができる。そのため、このスイッチ素子２３をオンにしておくことにより、抵抗２１による電力の消耗を招くことなく充電することができる。
【００２６】
このようなインピーダンス調整回路２が挿入されることにより、第２の電池Ｂ側の電流に対する電圧の関係は、前述の図１Ｂに示されるように、充電側で勾配が大きくなる。すなわち、第２の電池Ｂの内部インピーダンスが大きくなったのと同様の特性を示す。しかも、勾配が大きくなるので、回生電流の増加に対する、電圧の増加量が大きくなることになり、実際には第１の電池Ａに回生電流が供給される。しかし、前述のように、このインピーダンスは、大きくすればよいという訳ではなく、第２の電池Ｂ側のＤ、Ｅ間の電圧が第１の電池Ａの過充電危険電圧を超えないように調整されることが好ましい。なお、放電側は、前述のスイッチ素子２３がオンにされることにより、インピーダンスは何ら変化しないので、従来と同様の傾斜の直線になる。
【００２７】
このような電流と電圧の特性になると、第１の電池Ａの電流電圧のグラフＡと第２の電池Ｂの電流電圧のグラフＢとの交点より大きい回生電流が供給されたとき、その回生電流は専ら内部インピーダンスの小さい第１の電池Ａに流れ込む。その結果、第１の電池Ａが専ら充電される。しかも、第１の電池Ａは充放電効率が高いため、効率よく回生電流が充電に利用される。一方、第１の電池Ａと第２の電池Ｂとは図１Ａまたは１Ｃに示されるように、並列に接続されている。そのため、第１の電池Ａの電圧が高くなろうとすると、回生電流の一部は第２の電池にも流れるようになる。しかし、第２の電池側に流れる電流は回生電流の一部で少ないため、第２の電池Ｂも効率よく充電される。回生電流がなくなれば、第１の電池Ａから第２の電池Ｂに電流が供給され、第２の電池Ｂも幾分充電される。すなわち、図１Ａに示されるように、スイッチ素子２３が無くても、抵抗１１を介して電流が流れ、第２の電池Ｂも充電される。
【００２８】
このようなハイブリッド電池１の放電領域Ｐおよび充電領域Ｑの第１の電池Ａと第２の電池Ｂおよびハイブリッド電池１のそれぞれの実測の電流Ａ、Ｂ、Ｃの特性が図５に示されている。なお、図５に示されるデータは、図１Ａの抵抗２１の抵抗値を５０Ωとし、回生電流が殆ど流れない状態にしたデータである。図５から明らかなように、放電領域Ｐでは、第１の電池Ａおよび第２の電池Ｂがほぼ同程度の電流を供給する。また、回生電流による充電領域Ｑでは、第１の電池Ａの方に電流が流れ（充電電流になるため、放電電流と逆方向の電流になり、負の値で示されており、絶対値が大きくなる）、第２の電池Ｂには殆ど電流が流れない。これは、前述のように、Ｄ、Ｅ間のインピーダンスが第２の電池Ｂ側の方が大きくなっているため、回生電流が流れにくいからである。
【００２９】
インピーダンス調整回路２が挿入されていない従来の図９Ａに示されるハイブリッド電池の同様のリチウムイオン電池Ａ、鉛電池Ｂ、およびハイブリッド電池全体のそれぞれの電流Ａ、Ｂ、Ｃの波形を示す図が図９Ｂに示されている。図９Ｂから明らかなように、従来のハイブリッド電池では、充電領域Ｑの電流特性は、大部分の回生電流が鉛電池Ｂに流れ、リチウムイオン電池Ａには殆ど回生電流が流れていないことを示している。これは、前述のように、両電池の内部インピーダンスの差に基づくものである。すなわち、従来のハイブリッド電池では、回生電流による充電がリチウムイオン電池Ａでは殆ど行われていなかった。
【００３０】
図２Ａは、本発明のインピーダンス調整回路２の他の実施形態を示す図１Ａと同様の回路図である。このインピーダンス調整回路２は、抵抗２１のみで形成されている。この抵抗２１の抵抗値は、前述の図１Ａに示される例と同様に、所定の充電電流以上の場合に、第２の電池Ｂ側のＤ、Ｅ間のインピーダンスが第１の電池Ａの内部インピーダンスより大きくなるように設定されている。また、前述の例と同様に、例えば１００Ａ程度の最大の充電電流に対して、第２の電池Ｂの充電終止電圧と抵抗２１の両端の電圧とを加えた電圧が、第１の電池Ａの過充電危険電圧を超えない電圧になるように設定されていることが好ましい。そうすることにより、第１の電池Ａが過充電に対して保護されるからである。この図２Ａに示されるインピーダンス調整回路２は、図１Ａに示される例とダイオードが接続されていない点でのみ異なる。放電電流に対して順方向となるダイオード２２が接続されていないことにより、放電電流を利用する場合も、抵抗２１を経由することになる。そのため、多少の電圧降下が生じる。
【００３１】
前述の抵抗２１による電圧降下を防止するには、図２Ｃに示されるように、抵抗２１と並列にスイッチ素子２３が接続され、回生電流の大きさを電流検出器４１により検出して、回生電流が小さいときまたは０（放電時）の場合にはスイッチ素子２３をオンにすることができる。この構成にすることにより、大きな回生電流のときには、抵抗２１を経るためインピーダンスが調整されるが、回生電流が小さいか、０のときはスイッチ素子２３を経由して、何らの損失を招くことはない。このスイッチ素子２３のオンオフの制御は、後述の例で詳述される。なお、この電流検出器４１による電流の検出は、例えば電流の一部を分流して、既知の抵抗値の両端の電圧を測定することもできるし、また、例えばホール素子を応用した非接触式電流センサを用いても測定され得る。
【００３２】
図２Ａに示されるインピーダンス調整回路２が挿入されたときの電流に対する電圧の関係は、図２Ｂに示されるようになる。すなわち、放電時にも抵抗２１が挿入されているため、第２の電池Ｂの両端の電圧が低くなっている。そのため、放電領域において第２の電池Ｂ側の電圧が第１の電池Ａよりも低くなり、放電領域では電流は殆ど第１の電池Ａから供給される。すなわち、第１の電池Ａの放電分担率が大きくなる。なお、図２Ｃに示されるように、スイッチ素子２３が挿入され、放電時にはスイッチ素子２３がオンにされる場合には、図１Ｂと同様の電流電圧曲線になる。
【００３３】
図３Ａは、本発明のインピーダンス調整回路２のさらに他の実施形態を示す図１Ａと同様の回路図である。この例は、充電電流に対して順方向に接続されたダイオード２４が用いられているもので、前述のように、図１Ａの抵抗とは異なり、インピーダンスそのものを変える素子ではないが、ダイオード２４はその順方向電圧分の電圧降下を生じさせるので、結果的にインピーダンスを挿入したのと同等になり、本発明では、このような場合もインピーダンス調整回路２に含ませている。この例では、この充電電流に対して順方向のダイオード２４と、充電電流に対して逆方向に接続された図１Ａと同様のダイオード２２との並列回路により広義のインピーダンス調整回路２が形成されている。前述のように、ダイオードは半導体材料に固有の順方向電圧の降下分を有しており、抵抗と同様の電圧降下を生じさせる。前述のように、通常のシリコンを用いたダイオードは、１個で０.６Ｖ程度の電圧降下になるが、その程度の電圧では低すぎる場合には、複数個直列に接続されることにより、電圧降下はその個数倍となり、所望の電圧降下を得ることができる。また、大電流に対する耐性の問題がある場合には、並列に接続することにより耐性を上げることができる。
【００３４】
この図３Ａの回路のときの電流に対する電圧の関係は、図３Ｂに示されるような特性になる。すなわち、充電電流に対して順方向のダイオード２４の電圧降下分がオフセットされて充電側で第２の電池Ｂ側の電圧が大きくなっており、結果的にインピーダンスが大きくなった電流・電圧のグラフと同等のグラフになっている。そのため、前述のように、この構成も含めて広義のインピーダンス調整回路２としている。
【００３５】
この場合も、放電時に放電電流に対して順方向に挿入されたダイオード２２の電圧降下が生じるので、その分を削除するためには、前述の図１Ｃの例と同様に、スイッチ素子２３がさらに並列に接続されることが好ましい。その例が図３Ｃに示されている。この場合も、前述の例と同様に、回生電流を検出する電流検出器４１の出力に応じて、またはアクセルペダルの踏み込み解除もしくはブレーキペダルの踏み込みなどの検出により、スイッチ素子２３のオンオフを切り替えることもできる。
【００３６】
図４Ａは、本発明の広義のインピーダンス調整回路２のさらに他の実施形態を示す図１Ａと同様の回路図である。この例は、充電電流の方向に対して逆方向のダイオード２２とスイッチ素子２３とが並列に接続されて形成されている。このダイオード２２は、前述の図１Ａに示されるダイオード２２と同様の働きをする。すなわち、回生電流を遮断しながら、放電電流に対しては導通させる働きをする。従って、スイッチ素子２３がオフであり、回生電流が供給された場合に、回生電流は、第２の電池Ｂ側には入らないで、第１の電池Ａ側のみに流れ、前述のように、充放電効率のよい第１の電池Ａが充電される。しかし、このダイオード２２だけでは、放電の場合にはダイオード２２を介して放電することができるが、回生電流による充電は一切されない。また、商用電源により充電する場合も、このインピーダンス調整回路２を短絡する必要がある。そこで、この例では、このダイオード２２と並列にスイッチ素子（電子スイッチ素子ＦＥＴ）２３が接続され、そのスイッチ素子２３はマイコン４２によりオンオフの制御がなされるようになっている。このマイコン４２によるスイッチ素子２３の制御は、例えば回生電流の大きさを検出する電流検出回路４１をハイブリッド電池１と駆動モータ３との間に接続し、その電流検出回路４１により検出された電流値がマイコン４２に送られ、マイコン４２内でその値がしきい値より大きいか、小さいかが判断されて、回生電流がしきい値より大きい場合にスイッチ素子２３がオフにされ、しきい値より小さい場合にスイッチ素子２３がオンにされるように制御される構成になっている。このしきい値は０すなわち、放電電流と回生電流の区別にすることもできる。また、回生電流値がある値より大きくなる第２のしきい値、すなわち第１の電池Ａの過充電危険電圧を超える恐れのある電流値を設定し、この第２のしきい値を超えた場合にスイッチ素子２３をオンにすることもできる。そうすることにより、第１の電池Ａの過充電に対する保護がなされ得る。
【００３７】
このような構成にされることにより、しきい値電流が充電電流側の所定の電流値に設定されることにより、充電電流が小さい場合には、第２の電池Ｂ側も接続されることになり、回生電流による充電がなされる。また、商用電源による充電のときも、商用電源による充電電流は小さいため、スイッチ素子２３がオンにされ、簡単に充電され得る。一方、回生電流が第２のしきい値電流を超える場合もスイッチ２３をオンにすることにより、高価な第１の電池Ａが過充電に対して保護され得る。
【００３８】
このような構成のインピーダンス調整回路２は、しきい値電流が０に設定され、スイッチ素子２３がオフにされるとき、図４Ｂに電流に対する電圧の関係図が示されるように、インピーダンスは電流が０（しきい値電流の設定値）のところで無限大になって途切れる。従って、図４Ａに示されるように、スイッチ素子２３が並列に接続され、そのしきい値電流が適当な値に制御されることにより、必要なところで充電も可能になるし、放電時にもダイオード２２の順方向電圧分の電圧降下を防止することもできる。なお、図４Ｂでは、電流が０のところでインピーダンスが無限大にされているが、スイッチ素子２３をオンオフするしきい値電流の値に応じて、充電電流側に入り込ませることができる。
【００３９】
この観点からは、図示されていないが、ダイオード２２をなくして、スイッチ素子２３のオンオフだけで広義のインピーダンス調整回路２が構成され得る。すなわち、インピーダンスが０または無限大の切り替えになるが、所定のしきい値電流でのスイッチ素子２３のオンオフによっても、回生電流が所定の電流以上の（負の絶対値が大きい）場合にスイッチ素子２３をオフにし、それ以外のときにスイッチ素子２３をオンにすることにより、前述と同様の制御をすることができる。なお、この場合も、回生電流が所定値以上になる第２のしきい値電流を設定して、回生電流が第２のしきい値電流以上になった場合には、スイッチ素子２３をオンにすることにより、第１の電池Ａが過充電に対して保護される。
【００４０】
スイッチ素子２３としては、図４Ａに示されるような機械的スイッチ、リードスイッチなどを使用することもできるし、図４Ｃに示されるようなＭＯＳＦＥＴ２５を用いることもできるし、図４Ｄに示されるようなリレー２６を用いることもできる。ＭＯＳＦＥＴ２５のような半導体素子が用いられることが、簡単に制御しやすいので好ましい。
【００４１】
なお、第２のしきい値電流の設定による制御ではなく、保護回路が設けられることにより、第１の電池Ａが保護されてもよい。第１の電池Ａは過充電だけではなく、温度などによっても破損しやすいため、保護回路も併用されることが好ましい。
【００４２】
図４Ｃは、図４Ａの広義のインピーダンス調整回路の一例であるスイッチ素子２３の変形例であり、電子スイッチ素子ＭＯＳＦＥＴ２５で形成された例である。さらに、この例は、回生電流の検出ではなく、例えばブレーキペダルをオンにしたり、アクセルペダルをオフにしたりすることにより検出されたモータドライバ４４からの回生電流利用信号４３をコントロールエリアネットワーク（ＣＡＮ）によりバッテリマネージメントユニット（ＢＭＵ）４５に伝達し、ＭＯＳＦＥＴ２５からなるスイッチ素子２５のオンオフを制御する構成になっている。このような構成にしても、回生電流モードと放電電流モードとの切り替えを行うことができる。前述のように、このスイッチ素子（ＭＯＳＦＥＴ２５）がしきい値電流で制御されることにより、ダイオード２２は無くても構わない。
【００４３】
さらに、図４Ｄに示される例は、このインピーダンス調整回路２のスイッチ素子にリレー２６を用いてオンオフする構成にした例である。この場合も、図４Ａに示されるように、電流検出器４１と図示しないマイコンとが直接接続され、回生電流がしきい値の電流以下であるか否か、また、第２のしきい値電流以上であるか否かにより、スイッチ素子（リレー２６）のオンオフが制御される。また、図４Ｃに示される構成にすることもできる。この場合も、このスイッチ素子（リレー２６）がしきい値電流で制御されることにより、ダイオード２２は無くても構わない。
【００４４】
これらのスイッチ素子の構成例は、これらの組合せに限定されるものではなく、スイッチ素子の構造とその制御手段は任意の組合せにすることができる。また、図４Ａ〜４Ｄの例に限定されず、前述の図１Ｃ、図２Ｃ、図３Ｃなどのスイッチ素子２３にもこれらのいずれかの組合せのスイッチ素子の構成を適用することができる。
【００４５】
また、前述のように、スイッチ素子を挿入し、回生電流の利用時と利用しないときで、そのスイッチ素子のオンオフを制御すれば、充電電流に対して逆方向のダイオードが無くても第１の電池Ａ側のみに大きな回生電流を供給することができる。しかし、例えば自動車の混雑時などで、アクセルとブレーキの繰返しが頻発するような場合、駆動系の制御応答遅れなどにより必ずしも回生充電、放電を目論見通りに正しくできないことがある。このような場合に、ダイオードがあれば、スイッチ素子をオープンにしておいても、十分な放電電流が第２の電池Ｂから供給されるので、ダイオードを設けておく意義がある。すなわち、ダイオード２２が設けられることにより、回生モードと併用することができ、第１の電池Ａ側に回生電流を流しながら、放電の際には第１および第２の電池Ａ、Ｂから放電電流を流すことができる。
【００４６】
前述の図１Ａに示されるハイブリッド電池１を電気自動車またはハイブリッド自動車に搭載する場合の構成例が図７Ａ〜７Ｂに示されている。すなわち、図７Ａに示される例は、第１の電池Ａとして、２４Ｖ系のリチウムイオン電池１１Ａが２個直列に接続されたものを用い、第２の電池Ｂとして１２Ｖ系鉛蓄電池１２Ｂが４個直列に接続され、鉛蓄電池１２Ｂ側に抵抗２１とダイオード２２が並列接続されたインピーダンス調整回路２が直列に接続された回路になっている。また、リチウムイオン電池１１Ａ側には保護スイッチ１３がリチウムイオン電池１１Ａと直列に接続され、監視制御ユニット１４によりリチウムイオン電池１１Ａの電圧、電流、温度などのリチウムイオン電池の状態を監視し、これらの監視項目のうちのいずれかで所定の状態を検出した場合に、保護スイッチ１３をオフにして、リチウムイオン電池を安全に切り離せる構造になっている。
【００４７】
リチウムイオン電池１１Ａは、図７Ａでは１つのブロックで描かれているが、実際には、例えば３.６Ｖ系のセルが７個直列に接続されることにより、図に示される２４Ｖ系のリチウムイオン電池１１Ａが構成されている。また、鉛蓄電池も、２Ｖのセルが６個直列に接続さることにより形成されている。さらに、インピーダンス調整回路２の抵抗２１としては、１２.５ｍΩの抵抗が用いられ、ダイオード２２は１００Ｖ以上の耐圧を有するものが用いられる。保護スイッチ１３としては、例えばＦＥＴ、ＩＧＢＴ、ＧＴＯなどの半導体スイッチング素子の他、リレー、電磁開閉器、ブレーカ等であっても良く、また、例えば電流ヒューズ、温度ヒューズ、サーミスタ、セルフコントロールプロテクタ（ＳＣＰ）のように、一旦作動すると交換しない限り電気的な接続が自動的に回復しないものであっても良い。監視制御ユニット１４としては、例えばＭＭＵ（モジュールマネージメントユニット）を用いて、リチウムイオン電池１１Ａの各状態が監視される。インピーダンス調整回路２は、この例に限らず、前述の各図面に例示されたいずれかの回路を用いることができる。
【００４８】
図７Ｂに示される例では、第１の電池Ａとして、保護スイッチ１３を内蔵した１個の２４Ｖ系のリチウムイオン電池１１Ａが用いられ、第２の電池Ｂとして、２個の１２Ｖ系の鉛蓄電池１２Ｂが用いられ、その第２の電池Ｂにインピーダンス調整回路２が直列接続されたものと第１の電池Ａとが並列に接続された複合ユニット１０が２個直列に接続されることにより構成されている。各電池１１Ａ、１２Ｂの構成、インピーダンス調整回路２、保護スイッチ１３、監視制御ユニット１４などの構成も図７Ａに示される構造と同じである。この図７Ｂに示される例では、メインコンタクタ１５が備わっており、このメインコンタクタ１５も監視制御ユニット１４によりオンオフ制御される構成になっている。
【００４９】
図７Ａに示される例では、回路数が少ないので、簡単に形成されるという利点がある。また、図７Ｂに示される構成では、並列回路の一方の鉛蓄電池１２Ｂの数が少なくなるので、鉛畜電池のバラツキによる影響が少なくなるというメリットがある。
【実施例】
【００５０】
実施例１
図７Ｂの複合ユニット１個を用いて、回生電流による充放電効率を調べた。すなわち、保護スイッチ１３および監視ユニット１４はなく、リチウムイオン電池１１Ａが公称電圧２５.２Ｖ、公称容量６０Ａｈで、鉛電池１２Ｂが公称電圧１２Ｖ、公称容量６４ＡｈのＳ９５鉛電池を２個直列接続した図８に示される回路を用いた。インピーダンス調整回路２は、図７Ａで説明したものと同じである。この回路で、試験条件としては、試験温度が２５℃（恒温槽で一定に保持）、電池を満充電（定電流１００Ａで充電し、電圧が２８.８Ｖに到達後、同電圧で充電して電流が１０Ａよりも小さくなるまで）の状態にしてから、以下の充放電を行った。
（１）２００Ａ放電を１２０秒間
（２）２００Ａ放電を２０秒間
（３）１０秒間放置
（４）１００Ａ充電を１０秒間
（５）１０秒間放置
（６）上記（２）〜（５）を３０サイクル繰り返す
（７）２００Ａで放電し、電圧が１８Ｖよりも低くなったら終了する
（８）電池を満充電（定電流１００Ａで充電し、電圧が２８.８Ｖに到達後、同電圧で充電して電流が１０Ａよりも小さくなったら終了する）
（９）２００Ａで放電し、電圧が１８Ｖよりも低くなったら終了する
上記（９）で測定される電池容量を（Ａ）とし、
上記（１）と（２）で測定される放電容量（３０サイクル分の合計）の和を（Ｂ）とし、
上記（４）で測定される充電容量（３０サイクル分の合計）を（Ｃ）とし、
上記（７）で測定される放電容量を（Ｄ）とすると、
放電効率（％）は、（Ｂ＋Ｄ）／（Ａ＋Ｃ）となる。
実施例１、および図８に示される回路からインピーダンス調整回路２を除去した構成（比較例１）で同様の測定を行ったところ、実施例１における充放電効率を１００とした場合における比較例１の充放電効率は９７であり、実施例１は比較例１に対して３％充放電効率が高いという結果を得た。
【００５１】
商用電源による充電電流の２〜５倍が回生電流として発生する場合においては、前述のように、鉛蓄電池の充放電効率は約９２％程度である。一方で、同様の条件におけるリチウムイオン電池の充放電効率は９９％以上である。このような特性を有する鉛蓄電池とリチウムイオン電池とを、インピーダンス調整回路を鉛蓄電池に直列に接続することなく並列に接続した比較例１に係る構成にすると、その充放電挙動は図９Ｂに示すように、鉛蓄電池、およびリチウムイオン電池のそれぞれに回生電流が一定割合で流れるので、その充放電効率は、鉛蓄電池とリチウムイオン電池の充放電効率の中間的な値となる。一方で、鉛蓄電池側にインピーダンス調整回路を直列に接続した実施例１に係る構成にすると、鉛蓄電池への回生電流の流入が抑制されるので、その充放電効率はリチウムイオン電池の充放電効率に近くなる。その結果、実施例１の充放電効率は比較例１よりも３％高い値となった。このように、本発明の構成とすることで、バッテリ全体の充放電効率を３％程度向上させることが可能であり、ハイブリッドカーや電気自動車などの車両に用いる場合は燃費の改善、走行距離の増大に貢献する効果がある。
【符号の説明】
【００５２】
１    ハイブリッド電池
Ａ    第１の電池
Ｂ    第２の電池
２    インピーダンス調整回路
３    モータ
２１  抵抗
２２  ダイオード
２３  スイッチ素子
２５  ＭＯＳＦＥＴ
２６  リレー
Ｐ    放電モード
Ｑ    充電モード
【図１Ａ】
2018018775.tif 000003
【図１Ｂ】
2018018775.tif 000004
【図１Ｃ】
2018018775.tif 000005
【図２Ａ】
2018018775.tif 000006
【図２Ｂ】
2018018775.tif 000007
【図２Ｃ】
2018018775.tif 000008
【図３Ａ】
2018018775.tif 000009
【図３Ｂ】
2018018775.tif 000010
【図３Ｃ】
2018018775.tif 000011
【図４Ａ】
2018018775.tif 000012
【図４Ｂ】
2018018775.tif 000013
【図４Ｃ】
2018018775.tif 000014
【図４Ｄ】
2018018775.tif 000015
【図５】
2018018775.tif 000016
【図６】
2018018775.tif 000017
【図７Ａ】
2018018775.tif 000018
【図７Ｂ】
2018018775.tif 000019
【図８】
2018018775.tif 000020
【図９Ａ】
2018018775.tif 000021
【図９Ｂ】
2018018775.tif 000022